(57)【要約】【課題】使用者がノイズ除去の効果を確認しながらノイズ除去の調節を行うことが可能な電話装置を提供する。【解決手段】自身の送話信号を切替部１４０を切り替えることで還流させて、自身の音声を聞きながら、ノイズ除去部１３０，２３０における除去すべきノイズ特性を調節する。さらに自身の声を還流させるだけでなく、ノイズ除去後のスペクトラムを表示部１８０，２８０で確認する。【選択図】図１
2008271481.tif 000002
【特許請求の範囲】
【請求項１】
入力される音声を送話信号として外部の回線網へ送信する送話部と、前記外部の回線網からの受話信号を音声として出力する受話部とを備えた電話装置であって、
除去すべきノイズ特性を設定するための除去ノイズ特性設定手段と、
その除去ノイズ特性設定手段により設定されたノイズ特性に基づいて、前記送話部に入力される前記送話信号からその送話信号に含まれるノイズを除去するノイズ除去手段と、
そのノイズ除去手段によってノイズを除去された後の信号を音声として前記受話部に出力するノイズ除去音声出力手段と
を備えたことを特徴とする電話装置。
【請求項２】
前記送話部は、入力される前記送話信号を送話側信号経路を介して前記外部の回線網へ送信し、
前記受話部は、前記外部の回線網からの前記受話信号を受話側信号経路を介して出力し、
前記送話側信号経路と前記受話側信号経路とをそれぞれ前記回線網と接続する通常接続状態と、前記送話側信号経路及び前記受話側信号経路の前記回線網との接続を遮断し、前記送話側信号経路と前記受話側信号経路とを接続して、前記送話側信号経路を伝送された前記送話信号を前記受話側信号経路へと還流させる還流接続状態との間での接続を切り替える切替手段を
備えたことを特徴とする請求項１に記載の電話装置。
【請求項３】
前記ノイズ除去手段によってノイズを除去された後の信号のスペクトラムを算出する算出手段と、
前記算出手段によって算出された前記信号のスペクトラムを表示する表示手段とを備えたことを特徴とする請求項１または２に記載の電話装置。
【請求項４】
前記電話装置は、外部と通信可能な親機と、その親機と無線通信可能であって、その親機を介して外部と通信可能な子機とから構成され、
前記送話部、前記受話部及び前記除去ノイズ特性設定手段は、前記子機に搭載されていることを特徴とする請求項１または２に記載の電話装置。
【請求項５】
前記電話装置は、外部と通信可能な親機と、その親機と無線通信可能であって、その親機を介して外部と通信可能な子機とから構成され、
前記送話部、前記受話部、前記除去ノイズ特性設定手段及び前記表示手段は、前記子機に搭載されていることを特徴とする請求項３に記載の電話装置。
【発明の詳細な説明】
【技術分野】
【０００１】
本発明は、電話装置に関する。
【背景技術】
【０００２】
電話装置においては、送話者の音声信号を伝達する際に、一般に送話者の音声と一緒に、送話者の音声以外のノイズも伝達されてしまうが、これをできるだけ抑制することが通話品質を高くするために望まれる。この問題の解決を難しくする点は、ノイズの特性が時間とともに、あるいは周囲の状況とともに変わることである。したがってノイズ除去を行う際に何らかのかたちの調節機能を持たせることが必要となる。
【０００３】
例えば、特許文献１では、ノイズを除去するためのノイズキャンセラを２つ用意して、それらを背景ノイズが多いか少ないかに応じて切り替える装置が開示されている。２つのノイズキャンセラは一方がＳＰＡＣ方式であり、もう一方がカルマンフィルタであり、両者の切替方法として手動と自動の２つの方法が示されている。
【０００４】
【特許文献１】特開平１１−３３８４９９号公報
【発明の開示】
【発明が解決しようとする課題】
【０００５】
しかし、切替が手動であっても自動であっても、閾値を設定して、背景雑音のレベルがその閾値より大きいか小さいかでノイズキャンセラを切り替えている。そして、上記特許文献１で示された閾値の設定方法が最適であるという客観的な根拠はない。したがって、同文献の装置において常に最適なノイズキャンセラが選択される保証はない。
【０００６】
同文献の装置に限らず、背景ノイズや音声信号の特性は不明か、既知であっても時間とともにあるいは状況とともに変動するので、ノイズキャンセラを客観的、理論的な観点から常に最適なものとすることは一般に難しいと考えられる。したがって、使用者による主観的な判断を利用しながらより信頼性の高いノイズ除去が可能な電話装置を開発することには実用上大きな意味がある。
【０００７】
そこで本発明では、使用者がノイズ除去の効果を確認しながらノイズ除去の調節を行うことが可能な電話装置を提供することを目的とする。
【課題を解決するための手段及び発明の効果】
【０００８】
上記課題を解決するために、本発明の請求項１に記載の通信装置は、入力される音声を送話信号として外部の回線網へと送信する送話部と、前記外部の回線網からの受話信号を音声として出力する受話部とを備えた電話装置であって、除去すべきノイズ特性を設定するための除去ノイズ特性設定手段と、その除去ノイズ特性設定手段により設定されたノイズ特性に基づいて、前記送話部に入力される前記送話信号からその送話信号に含まれるノイズを除去するノイズ除去手段と、そのノイズ除去手段によってノイズを除去された後の信号を音声として前記受話部に出力するノイズ除去音声出力手段とを備えたことを特徴とする。
【０００９】
請求項１に記載の電話装置によれば、ノイズ除去手段が除去ノイズ特性設定手段により設定されたノイズ特性に基づいて、送話部に入力される送話信号からその送話信号に含まれるノイズを除去し、ノイズ除去音声出力手段がノイズ除去手段によってノイズを除去された後の信号を音声として受話部に出力するので、装置の使用者は、ノイズ除去後の音声を聞きながら、除去ノイズ特性設定手段を用いて、除去すべきノイズ特性を試行錯誤的に最適に設定することができる。したがって、微小な音声をノイズとともに除去してしまうといった不具合の起きる可能性が低減できるとの効果を奏する。さらに、装置の使用者はノイズ除去を施されて通話相手側に伝わる自分の音声を、事前に自分の耳で聞いて確認することができる。したがって、どのような音声が通話相手側に伝わっているかが不明であった従来装置と比べて、使用者のノイズ除去に対する信頼性が高い電話装置となるとの効果も奏する。
【００１０】
本発明の請求項２に記載の電話装置は、請求項１に記載の電話装置を前提として、前記送話部は、入力される前記送話信号を送話側信号経路を介して前記外部の回線網へ送信し、前記受話部は、前記外部の回線網からの前記受話信号を受話側信号経路を介して出力し、前記送話側信号経路と前記受話側信号経路とをそれぞれ前記回線網と接続する通常接続状態と、前記送話側信号経路及び前記受話側信号経路の前記回線網との接続を遮断し、前記送話側信号経路と前記受話側信号経路とを接続して、前記送話側信号経路を伝送された前記送話信号を前記受話側信号経路へと還流させる還流接続状態との間での接続を切り替える切替手段を備えたことを特徴とする。
【００１１】
請求項２に記載の電話装置によれば、切替手段が、送話側信号経路と受話側信号経路とをそれぞれ回線網と接続する通常接続状態と、送話側信号経路及び受話側信号経路の回線網との接続を遮断し、送話側信号経路と受話側信号経路とを接続して、送話側信号経路を介して送信された送話信号を受話側信号経路へと還流させる還流接続状態との間で接続を切り替えるので、簡単な構成で請求項１に係る発明の効果を達成できる。
【００１２】
本発明の請求項３に記載の電話装置は、請求項１または２に記載の電話装置を前提として、前記ノイズ除去手段によってノイズを除去された後の信号のスペクトラムを算出する算出手段と、前記算出手段によって算出された前記信号のスペクトラムを表示する表示手段とを備えたことを特徴とする。
【００１３】
請求項３に記載の電話装置によれば、ノイズ除去後の送話信号のスペクトラムを表示手段によって確認できるので、使用者は、ノイズ除去を施された音声を自分の耳で聞くことに加えて、さらにそのスペクトラムを自分の目で見ることによってノイズ除去の効果を確かめながら、ノイズ除去手段のノイズ除去特性を試行錯誤的に最適なものへと設定できる。したがって、使用者の聴覚と視覚による二重の確認を用いることにより、ノイズ除去効果の確認がなかった従来の装置と比較して、上でも述べた微小な音声をノイズとともに除去してしまうといった不具合の起きる可能性がさらに減少して最適なノイズ除去が達成できるとの効果を奏する。
【００１４】
本発明の請求項４に記載の電話装置は、請求項１または２に記載の電話装置を前提として、前記電話装置は、外部と通信可能な親機と、その親機と無線通信可能であって、その親機を介して外部と通信可能な子機とから構成され、前記送話部、前記受話部及び前記除去ノイズ特性設定手段は、前記子機に搭載されていることを特徴とする。
【００１５】
請求項４に記載の電話装置によれば、子機に送話部、受話部及び除去ノイズ特性設定手段が搭載されているので、移動可能な子機の周りの環境においても、ノイズ除去後の音声を聞きながら、除去ノイズ特性設定手段を用いて、除去すべきノイズ特性を試行錯誤的に最適に設定することができる。
【００１６】
本発明の請求項５に記載の電話装置は、請求項３に記載の電話装置を前提として、前記電話装置は、外部と通信可能な親機と、その親機と無線通信可能であって、その親機を介して外部と通信可能な子機とから構成され、前記送話部、前記受話部、前記除去ノイズ特性設定手段及び前記表示手段は、前記子機に搭載されていることを特徴とする。
【００１７】
請求項５に記載の電話装置によれば、子機に送話部、受話部、除去ノイズ特性設定手段及び表示手段が搭載されているので、移動可能な子機の周りの環境においても、ノイズ除去後の音声を聞きながら、除去ノイズ特性設定手段を用いて、除去すべきノイズ特性を試行錯誤的に最適に設定することができる。
【発明を実施するための最良の形態】
【００１８】
以下で本発明の実施例１を、添付図面を参照しながら説明する。実施例１においては、図１に示されるコードレス電話１の親機１００を用いてノイズ除去を行う。
【００１９】
まず図１に示されたコードレス電話装置１の概要を説明する。コードレス電話装置１は親機１００と子機２００からなり、親機１００は外部の回線網５００に有線接続されており、回線網５００を通じて外線通話可能である。子機２００は親機１００との間で無線信号３００，３０１を送受信することで、親機１００との間での内線通話及び、親機１００を介して外部の回線網５００との間の外線通話が可能である。
【００２０】
次に親機１００の主要構造を説明する。親機１００には親機１００の各部を制御する制御部１２０が備えられ、制御部１２０は各種情報処理のためのＣＰＵ１２１、情報処理の作業領域等のためのＲＡＭ１２２、記憶部としてのＲＯＭ１２３を備えている。そして、経路切替を行う経路切替部１９５、切替部１４０、ノイズの除去を行うノイズ除去部１３０、子機２００との間で無線通信を行うためのＲＦ系回路１９０、各種情報の表示を行う表示部１８０、使用者が入力するための入力部１８１が配置され、これらが制御部１２０によって制御される。
【００２１】
またスピーカ１７０とマイクロフォン１７１とが備えられ、受話側信号経路７０と送話側信号経路７５とが、それぞれスピーカ１７０、マイクロフォン１７１と経路切替部１９５との間を接続する。受話側信号経路７０上にはＤ／Ａ変換器１６２が配置されている。送話側信号経路７５上にはＡ／Ｄ変換器１６３と、本発明に係るノイズ除去部１３０とが配置されている。
【００２２】
さらに受話側信号経路８０と送話側信号経路８５とが、ＲＦ系回路１９０と経路切替部１９５との間を接続する。そして受話側信号経路４０と送話側信号経路３０とが、切替部１４０と経路切替部１９５との間を接続する。受話側信号経路４０上にはＡ／Ｄ変換器１６０、バッファ１５０，１５２が配置され、送話側信号経路３０上にはＤ／Ａ変換器１６１、バッファ１５１，１５３が配置されている。
【００２３】
こうした構成において、親機１００から外線通話を行う場合には、制御部１２０からの指令で経路切替部１９５が、受話側信号経路７０と受話側信号経路４０とを、そして送話側信号経路３０と送話側信号経路７５とを接続する。さらに切替部１４０が受話側信号経路２０と受話側信号経路４０、送話側信号経路１０と送話側信号経路３０とを接続する。
【００２４】
これにより、使用者がマイクロフォン１７１に入力した送話信号は送話側信号経路７５、３０、１０を通って外部の回線網５００へと送られる。送話信号は、その間にＡ／Ｄ変換器１６３でディジタル信号に変換され、ノイズ除去部１３０でノイズが除去され、バッファ１５３を通ってＤ／Ａ変換器１６１でアナログ信号に変換されて、バッファ１５１を通る。
【００２５】
そして外部の回線網５００から送信されてきた受話信号は、受話側信号経路２０、４０、７０を通ってスピーカ１７０へと送られる。受話信号は、その間にバッファ１５０を通り、Ａ／Ｄ変換器１６０でディジタル信号に変換され、バッファ１５２を通り、Ｄ／Ａ変換器１６２でアナログ信号に変換される。
【００２６】
子機２００が親機１００を経由して外線通話を行う場合には、経路切替部１９５は、受話側信号経路４０と受話側信号経路８０とを、そして送話側信号経路３０と送話側信号経路８５とをそれぞれ接続する。さらに切替部１４０が受話側信号経路２０と受話側信号経路４０、送話側信号経路１０と送話側信号経路３０とを接続する。
【００２７】
これにより子機２００から無線で送られてきた送話信号はＲＦ系回路１９０で受信され、送話側信号経路８５、３０、１０を通って外部の回線網５００へと送られる。送話信号はその間に、バッファ１５１，１５３を通るとともにＤ／Ａ変換器１６１でアナログ信号に変換される。
【００２８】
そして外部の回線網５００から送信されてきた受話信号は、受話側信号経路２０、４０、８０を通ってＲＦ系回路１９０へと送られ、さらに無線で子機２００へと送信される。受話信号はその間に、バッファ１５０、１５２を通るとともに、Ａ／Ｄ変換器１６０でディジタル信号に変換される。
【００２９】
次に子機２００について説明する。子機２００には制御部２２０が備えられている。制御部２２０は、各種情報処理のためのＣＰＵ２２１、情報処理の作業領域等のためのＲＡＭ２２２、記憶部としてのＲＯＭ２２３を備えている。制御部２２０は、各種情報の表示のための表示部２８０、使用者からの入力のための入力部２８１、ノイズ除去部２３０等の制御を行う。
【００３０】
使用者がマイクロフォン２７１から入力した送話信号は送話側信号経路５０を通ってＲＦ系回路２９０へ送られ、ＲＦ系回路２９０から親機１００へ無線で送られる。送話信号は、送話側信号経路５０を通る際に、バッファ２５１，２５３を通るとともにＡ／Ｄ変換器２６１によりディジタル信号へと変換される。さらに送話信号は、本発明に係るノイズ除去部２３０によりノイズが除去される。ノイズ除去に関しては後述する。
【００３１】
また親機１００側からＲＦ系回路２９０で受信された受話信号は、受話側信号経路６０を通ってスピーカ２７０へと送られる。受話信号は、受話側信号経路６０を通る際に、バッファ２５０，２５２を通るとともにＤ／Ａ変換器２６０によりアナログ信号に変換される。
【００３２】
実施例１では、上述のとおり、上で説明した親機１００が外線通話を行う状況が扱われる。したがって、経路切替部１９５により、受話側信号経路４０と送話側信号経路３０とがそれぞれ、受話側信号経路７０と送話側信号経路７５に接続される。以下で図２、図３によって実施例１が説明される。図２は実施例１の処理全体のフローチャートであり、図３は切替部１４０の接続の切替を説明する図である。
【００３３】
まず図２には、本発明に係るノイズ除去確認・設定処理の処理手順が示されている。以下の手順がＣＰＵ１２１によって順次行われる。図２の処理手順ではまず、Ｓ１０で使用者は親機１００の入力部１８１を用いてテストモード開始を入力する。以下で説明するすべての実施例でノイズ除去確認・設定処理をテストモードと称することとする。Ｓ１０により親機１００はテストモードとなる。次にＳ２０で親機１００のＣＰＵ１２１により切替部１４０が還流接続状態となる。
【００３４】
還流接続状態は図３に示されている。切替部１４０には、受話側信号経路２０，４０、送話側信号経路１０，３０と端子１４１，１４２，１４３，１４４、１４５，１４６とが配置されている。図３（ａ）に示された接続が通常接続状態である。端子１４１と端子１４２、端子１４３と端子１４４がそれぞれ接続されることにより、受話側信号経路２０と受話側信号経路４０とが、そして送話側信号経路１０と送話側信号経路３０とがそれぞれ接続される。これにより送話信号、受話信号は、図３（ａ）に示された矢印のように、送信されることとなる。
【００３５】
一方、図３（ｂ）に示された接続が還流接続状態である。還流接続状態においては、端子１４２と端子１４５、端子１４３と端子１４６がそれぞれ接続される。これにより、図３（ｂ）に示された矢印のように、送話側信号経路３０上を送信された送話信号は端子１４６、端子１４５を経由して受話側信号経路４０へと還流される。したがって、本装置の使用者は、親機１００のマイクロフォン１７１へと入力した自身の音声信号をスピ−カ１７０から聞くことができる。図２の手順Ｓ２０により切替部１４０が図３（ｂ）の還流接続状態となる。
【００３６】
次に、図２のＳ４０で親機１００の入力部１８１を用いて除去すべきノイズ特性が設定される。この手順においては、使用者が入力部１８１を用いて、ＲＯＭ１２３内に複数格納されているノイズ除去プログラムのなかからひとつを選ぶ。これにより、ＣＰＵ１２１は選ばれたノイズ除去プログラムによるノイズ除去操作をノイズ除去部１３０で開始する。Ｓ４０においては、ＲＯＭ１２３内に格納されているノイズ除去プログラムを呼び出し、使用者が入力部１８１を用いてノイズ除去プログラム中のパラメータ値を設定する形態でもよい。
【００３７】
次にＳ５０で、使用者が還流されてきた受話音質が望ましいかどうかを入力部１８１を用いて入力する。受話音質が望ましいと使用者が入力した場合（Ｓ５０：ＹＥＳ）、次の手順はＳ６０となる。受話音質が望ましくないと使用者が入力した場合（Ｓ５０：ＮＯ）、次の手順は再びＳ４０へ戻り、使用者がノイズ除去プログラムの選択を再度行う。そして受話音質が望ましいと使用者が入力するまで、ＣＰＵ１２１は同じ手順を繰り返す。
【００３８】
次にＳ６０では、使用者が望ましいと判断したノイズ除去プログラムが、ノイズ除去部１３０で用いられるノイズ除去プログラムとして決定される。そして、Ｓ８０で切替部１４０が図３（ａ）の通常接続状態へと切り替えられ、さらにＳ９０で親機１００の表示部１８０でテストモードの終了が表示されてテストモードが終了する。これにより、通常の通話へと戻る。
【００３９】
次に実施例２を説明する。実施例１が自身の音声を使用者が聞くことによる除去ノイズ特性の確認、設定であったのに対し、実施例２においては、さらにノイズ除去後の信号のスペクトラム表示を加えた除去ノイズ特性の確認、設定が行われる。実施例２においても、経路切替部１９５により、受話側信号経路４０と送話側信号経路３０とがそれぞれ、受話側信号経路７０と送話側信号経路７５に接続される。実施例２の処理全体を示すフローチャートは図４に示されている。
【００４０】
図４の処理手順ではまず、Ｓ１０で親機１００の入力部１８１を用いてテストモード開始を入力する。これによりＣＰＵ１２１は、親機１００をテストモードとする。そして以下の手順が、ＣＰＵ１２１によって順次行われる。まずＳ２０で親機１００の切替部１４０が還流接続状態とされる。次にＳ２５で送話信号のスペクトラムの算出が開始される。送話信号は例えばノイズ除去部１３０の出力部の信号が取得される。スペクトラム算出の方法は従来技術であるので説明を省略する。そしてＳ３０で、親機１００の表示部１８０において送話信号のスペクトラム表示が開始される。
【００４１】
次にＳ４０では、親機１００の入力部１８１を用いて除去すべきノイズ特性が設定される。この手順においては、使用者が入力部１８１を用いて、ＲＯＭ１２３内に格納されているノイズ除去プログラムのなかからひとつを選ぶ。これにより、ＣＰＵ１２１は選ばれたノイズ除去プログラムによるノイズ除去操作をノイズ除去部１３０で開始する。
【００４２】
次に、Ｓ５０で還流してきた受話音質が望ましいかどうか、そして表示部１８０に表示されたスペクトラムが望ましいかどうかを使用者が入力部１８１を用いて入力する。表示部１８０におけるスペクトラム表示の様子が、図５（ａ），（ｂ）に２つ例示されている。図５で横軸２８３は周波数であり、縦軸２８４は各信号成分の強度である。また実線２８５、２８７はノイズ除去部１３０の出力側における信号のスペクトラムを示している。一般に、この実線２８５、２８７には音声成分とノイズ成分とが重畳されている。点線２８６、２８８は、そのうちのノイズ成分のみのスペクトラムを示す仮想線である。実際の表示においては実線２８５，２８７のみが表示される。
【００４３】
例えば図５（ａ）と図５（ｂ）とが、それぞれ別のノイズ除去プログラムを用いた場合のスペクトラムだとすると、それぞれのノイズ除去プログラムによるノイズ除去の効果がスペクトラム表示により比較できることがわかる。こうした情報をもとにして使用者はＳ５０における入力をおこなう。
【００４４】
なお、上記の表示形態ではなく、表示部１８０において、ノイズ除去部１３０の入力部の信号のスペクトラムとノイズ除去部１３０の出力部の信号のスペクトラムとを重ねて表示する形態としてもよい。この場合、使用者は、その時点で使用されているノイズ除去プログラムによりノイズとみなされて除去された部分を、出力部と入力部の信号のスペクトラムの差の部分として視覚的に把握できる。
【００４５】
受話音質、スペクトラムが望ましいと使用者が入力した場合（Ｓ５０：ＹＥＳ）、次の手順はＳ６０となる。受話音質、スペクトラムが望ましくないと使用者が入力した場合（Ｓ５０：ＮＯ）、再びＳ４０へ戻り、使用者がノイズ除去プログラムの選択を再度行う。そして受話音質、スペクトラムが望ましいと使用者が入力するまで、ＣＰＵ１２１は同じ手順を繰り返す。
【００４６】
次にＳ６０では使用者が望ましいと判断した除去ノイズ特性がノイズ除去部１３０で用いられる除去ノイズ特性として決定される。これにより、Ｓ７０で親機１００の表示部１８０でのスペクトラム表示が終了される。そしてＳ８０で切替部１４０が、通常接続状態へと切り替えられる。さらにＳ９０で親機１００の表示部１８０でテストモードの終了が表示される。これでテストモードが終了する。これにより、通常の通話へと戻る。
【００４７】
次に、実施例３，４の説明へ移る。上で説明した実施例１，２が親機１００によるノイズ除去確認・設定であったのに対し、実施例３，４は子機２００が外線通話中の状況でのノイズ除去確認・設定である。実施例３、４では子機２００が外線通話状態であるので、経路切替部１９５によって、親機１００の側の受話側信号経路４０，送話側信号経路３０は、ＲＦ系回路１９０側の受話側信号経路８０，送話側信号経路８５とそれぞれ接続される。
【００４８】
まず以下で実施例３を説明する。実施例３では、上で説明した子機２００が親機１００を介して外線通話を行う状況において、マイクロフォン２７１から混入するノイズを、ノイズ除去部２３０と切替部１４０を用いて除去あるいは抑制する。実施例３では使用者は、実施例１と同様に、還流してきた自身の音声の確認のみから除去ノイズ特性を確認、設定する。実施例３の処理手順は図６を用いて説明される。
【００４９】
図６の処理手順ではまず、使用者がＳ１１０で子機２００の入力部２８１を用いてテストモード開始を入力する。これによりＣＰＵ１２１，２２１は子機２００及び親機１００をテストモードとする。そして以下の手順が、ＣＰＵ２２１によって順次行われる。まずＳ１２０でＣＰＵ２２１により、切替指令が無線信号３００を通じて親機１００側に伝達されることにより切替部１４０が還流接続状態とされる。次に、Ｓ１４０で使用者は、子機２００の入力部２８１を用いて除去すべきノイズ特性を設定する。この手順においては、使用者が入力部２８１を用いて、ＲＯＭ２２３内に格納されているノイズ除去プログラムのなかからひとつを選ぶ。これにより、ＣＰＵ２２１は選ばれたノイズ除去プログラムによるノイズ除去操作をノイズ除去部２３０で開始する。
【００５０】
次に、Ｓ１５０で還流してきた受話音質が望ましいかどうかを使用者が入力部２８１を用いて入力する。受話音質が望ましいと使用者が入力した場合（Ｓ１５０：ＹＥＳ）、次の手順はＳ１６０となる。受話音質が望ましくないと使用者が入力した場合（Ｓ１５０：ＮＯ）、再びＳ１４０へ戻り、使用者はノイズ除去プログラムの選択を再度行う。そして受話音質が望ましいと使用者が入力するまで、ＣＰＵ２２１は同じ手順を繰り返す。
【００５１】
次にＳ１６０では使用者が望ましいと判断したノイズ除去プログラムがノイズ除去部２３０で用いられるノイズ除去プログラムとして決定される。そして、Ｓ１８０で切替部１４０が、通常接続状態へと切り替えられる。そして、Ｓ１９０で子機２００の表示部２８０でテストモードの終了が表示されてテストモードが終了する。これにより、通常の通話へと戻る。
【００５２】
次に実施例４を説明する。実施例４においては、実施例３に対してさらにノイズ除去後の信号のスペクトラム表示を加えた除去ノイズ特性の確認、設定が行われる。実施例４の処理全体を示すフローチャートは図７に示されている。
【００５３】
図７の処理手順ではまず、使用者がＳ１１０で子機２００の入力部２８１を用いてテストモード開始を入力する。これによりＣＰＵ２２１は子機２００及び親機１００をテストモードとする。そして以下の手順が、ＣＰＵ２２１によって順次行われる。まずＳ１２０でＣＰＵ２２１により、切替指令が無線信号３００を通じて親機１００側に伝達されることにより切替部１４０が還流接続状態となる。次にＳ１２５で送話信号のスペクトラムの算出が開始される。送話信号は例えばノイズ除去部２３０の出力部の信号が取得される。スペクトラム算出の方法は従来技術であるので説明を省略する。そしてＳ１３０で子機２００の表示部２８０において送話信号のスペクトラム表示を開始する。
【００５４】
次に、Ｓ１４０で、使用者が子機２００の入力部２８１を用いて除去すべきノイズ特性を設定する。この手順においては、使用者が入力部２８１を用いて、ＲＯＭ２２３内に格納されているノイズ除去プログラムのなかからひとつを選ぶ。これにより、ＣＰＵ２２１は選ばれたノイズ除去プログラムによるノイズ除去操作をノイズ除去部２３０で開始する。
【００５５】
次に、Ｓ１５０で受話音質が望ましいかどうか、そして表示部２８０に表示されたスペクトラムが望ましいかどうかを、使用者が入力部２８１を用いて入力する。表示部２８０におけるスペクトラム表示の様子が、図８（ａ），（ｂ）に２つ例示されている。図８で横軸２８３は周波数であり、縦軸２８４は各信号成分の強度である。また実線３８５、３８７はノイズ除去部２３０の出力側における信号のスペクトラムを示している。一般に、この実線３８５、３８７には音声成分とノイズ成分とが重畳されている。点線３８６、３８８は、そのうちのノイズ成分のみのスペクトラムを示す仮想線である。実際の表示においては実線３８５，３８７のみが表示される。
【００５６】
例えば図８（ａ）と図８（ｂ）とが、それぞれ別のノイズ除去プログラムを用いた場合のスペクトラムだとすると、それぞれのノイズ除去プログラムによるノイズ除去の効果がスペクトラム表示により比較できることがわかる。こうした情報をもとにして使用者はＳ１５０における入力をおこなう。
【００５７】
なお、上記の表示形態ではなく、表示部２８０において、ノイズ除去部２３０の入力部の信号のスペクトラムとノイズ除去部２３０の出力部の信号のスペクトラムとを重ねて表示する形態としてもよい。この場合、使用者は、その時点で使用されているノイズ除去プログラムによりノイズとみなされて除去された部分を、出力部と入力部の信号のスペクトラムの差の部分として視覚的に把握できる。
【００５８】
受話音質、スペクトラムが望ましいと使用者が入力した場合（Ｓ１５０：ＹＥＳ）、次の手順はＳ１６０となる。受話音質、スペクトラムが望ましくないと使用者が入力した場合（Ｓ１５０：ＮＯ）、再びＳ１４０へ戻り、使用者がノイズ除去プログラムの選択を再度行う。そして受話音質、スペクトラムが望ましいと使用者が入力するまで、ＣＰＵ２２１は同じ手順を繰り返す。
【００５９】
次にＳ１６０では、使用者が望ましいと判断した除去ノイズ特性がノイズ除去部２３０で用いられる除去ノイズ特性として決定される。これにより、Ｓ１７５で子機２００の表示部２８０でのスペクトラム表示が終了される。そして、Ｓ１８０で切替部１４０が通常接続状態へと切り替えられる。さらにＳ１９０で子機２００の表示部２８０でテストモードの終了が表示されて、テストモードが終了する。これにより、通常の通話へと戻る。
【００６０】
なおＳ４０親機入力部で除去ノイズ特性設定の手順と、Ｓ１４０子機入力部で除去ノイズ特性設定の手順とが、除去ノイズ特性設定手段として機能する。ノイズ除去部１３０，２３０がノイズ除去手段を構成する。切替部１４０及びスピーカ１７０，２７０が、ノイズ除去音声出力手段を構成する。また切替部１４０は切替手段を構成する。Ｓ２５及びＳ１２５のスペクトラム算出の手順が、算出手段として機能する。Ｓ３０親機表示部でスペクトラム表示の手順と、Ｓ１３０子機表示部でスペクトラム表示の手順とが、表示手段として機能する。
【図面の簡単な説明】
【００６１】
【図１】本発明の電話装置の一実施形態として例示するコードレス電話機の内部構成を示すブロック図。
【図２】実施例１の処理手順を示すフローチャート。
【図３】切替部を示す図。
【図４】実施例２の処理手順を示すフローチャート。
【図５】親機の表示部によるスペクトラム表示を示す図。
【図６】実施例３の処理手順を示すフローチャート。
【図７】実施例４の処理手順を示すフローチャート。
【図８】子機の表示部によるスペクトラム表示を示す図。
【符号の説明】
【００６２】
１    コードレス電話機
１００    親機
１２１    ＣＰＵ
１２３    ＲＯＭ
１３０    ノイズ除去部
１４０    切替部
１８０    表示部
１８１    入力部
２００    子機
２２１    ＣＰＵ
２２３    ＲＯＭ
２３０    ノイズ除去部
２８０    表示部
２８１    入力部
５００    回線網
【図１】
2008271481.tif 000003
【図２】
2008271481.tif 000004
【図３】
2008271481.tif 000005
【図４】
2008271481.tif 000006
【図５】
2008271481.tif 000007
【図６】
2008271481.tif 000008
【図７】
2008271481.tif 000009
【図８】
2008271481.tif 000010